(57)【特許請求の範囲】
【請求項１】
電話回線に接続されると共に、電子情報を受信することが可能なコンピュータネットワークと接続された及び／又は電子情報を脱着可能な記録媒体から読み込むことが可能な電子情報読み取り手段を備えたコンピュータに有料電子情報を提供する有料電子情報の提供方法であって、
前記有料電子情報とコンピュータプログラムとを含む有料電子情報提供用電子情報を前記コンピュータネットワークを介して前記コンピュータに受信させることにより、又は前記電子情報読み取り手段に装着された記録媒体から前記コンピュータに読み込ませることにより、
電話回線を接続した場合に電話番号毎に所定の定額料金が通話料以外に課金される一又は複数の課金用の電話番号の組み合わせによって前記有料電子情報の価格と同額になるそれぞれの課金用電話番号への電話回線の接続及び切断を前記コンピュータに行なわせる前記コンピュータプログラムの第１の手順と、
前記有料電子情報の価格と同額になる組み合わせの一又は複数の前記課金用の電話番号それぞれへの電話回線の接続が完了したこと及びその後に切断が完了したことを前記コンピュータに確認させる前記コンピュータプログラムの第２の手順と、
前記有料電子情報の処理を前記コンピュータに開始させる前記コンピュータプログラムの第３の手順と
を前記コンピュータに実行させることを特徴とする有料電子情報の提供方法。
【請求項２】
電話回線に接続されると共に、電子情報を受信することが可能なコンピュータネットワークと接続された及び／又は電子情報を脱着可能な記録媒体から読み込むことが可能な電子情報読み取り手段を備えた第１のコンピュータに有料電子情報を提供する有料電子情報の提供方法であって、
電話回線を接続した場合に電話番号毎に所定の定額料金が通話料以外に課金される一又は複数の課金用の電話番号の組み合わせによって前記第１のコンピュータで使用可能な有料電子情報の価格を表わす課金データと、該課金データに従って前記第１のコンピュータに一又は複数の前記課金用の電話番号それぞれへの電話回線の接続及び切断を行なわせる第１の手順、前記一又は複数の課金用の電話番号それぞれへの電話回線の接続及び切断が全て完了したことを前記第１のコンピュータに確認させる第２の手順、及び前記第１のコンピュータに前記有料電子情報の処理を開始させる第３の手順を含む課金プログラムと、前記有料電子情報とを含む有料電子情報提供用電子情報を第２のコンピュータに生成させるステップと、
該第２のコンピュータが生成した前記有料電子情報提供用電子情報をコンピュータネットワークを介して前記第１のコンピュータに受信させることにより、又は前記電子情報読み取り手段に装着された記録媒体から前記第１のコンピュータに読み込ませるステップと、
前記有料電子情報提供用電子情報を受信した又は読み込んだ前記第１のコンピュータに、前記課金データに従って一又は複数の前記課金用の電話番号への電話回線の接続及び切断を行なわせる前記課金プログラムの第１の手順、前記一又は複数の課金用の電話番号それぞれへの電話回線の接続が完了したこと及びその後に切断が完了したことを確認させる前記課金プログラムの第２の手順、及び前記有料電子情報の処理を開始させる前記課金プログラムの第３の手順を実行させるステップと
を含むことを特徴とする有料電子情報の提供方法。
【請求項３】
電話回線に接続されると共に、電子情報を受信することが可能なコンピュータネットワークと接続された及び／又は電子情報を脱着可能な記録媒体から読み込むことが可能な電子情報読み取り手段を備えた有料電子情報購入者用コンピュータに有料電子情報を提供するための有料電子情報提供用電子情報を生成する有料電子情報提供用電子情報生成装置であって、
前記有料電子情報購入者用コンピュータで使用可能な有料電子情報の価格を、電話回線を接続した場合に電話番号毎に所定の定額料金が通話料以外に課金される一又は複数の課金用の電話番号の組み合わせによって表わす課金データを生成する課金データ生成部と、
課金データに従って一又は複数の課金用の電話番号それぞれへの電話回線の接続及び切断を前記有料電子情報購入者用コンピュータに行なわせる第１の手順と、前記一又は複数の課金用の電話番号それぞれへの電話回線の接続が完了したこと及びその後に切断が完了したことを前記有料電子情報購入者用コンピュータに確認させる第２の手順と、前記有料電子情報購入者用コンピュータに前記有料電子情報の処理を開始させる第３の手順とを含む課金プログラムを記憶した課金プログラム記憶部と、
前記課金データ生成部が生成した課金データと前記課金プログラム記憶部が記憶している課金プログラムと前記有料電子情報とを読み込み、前記有料電子情報購入者用コンピュータにより通信回線を介して受信された場合又は前記電子情報読み取り手段に装着された脱着可能な記録媒体から読み込まれた場合に、前記有料電子情報購入者用コンピュータに、前記課金プログラムの前記第３の手順に先立って前記第１及び第２の手順を実行させるようにした有料電子情報提供用電子情報を生成する有料電子情報提供用電子情報生成部と
を備えたことを特徴とする有料電子情報提供用電子情報生成装置。
【請求項４】
生成した有料電子情報提供用電子情報を前記有料電子情報購入者用コンピュータと接続されたコンピュータネットワークへ送信する送信部を更に備えたことを特徴とする請求項３に記載の有料電子情報提供用電子情報生成装置。
【請求項５】
生成した有料電子情報提供用電子情報を前記有料電子情報購入者用コンピュータの電子情報読み取り手段に脱着可能な記録媒体に記録する記録部を更に備えたことを特徴とする請求項３に記載の有料電子情報提供用電子情報生成装置。
【請求項６】
電話回線に接続されると共に、電子情報を受信することが可能なコンピュータネットワークと接続された及び／又は電子情報を脱着可能な記録媒体から読み込むことが可能な電子情報読み取り手段を備えた有料電子情報購入者用コンピュータに有料電子情報を提供するためのコンピュータプログラムを生成する有料電子情報提供用コンピュータのためのコンピュータプログラムを記録した記録媒体であって、
電話回線を接続した場合に電話番号毎に所定の定額料金が通話料以外に課金される一又は複数の課金用の電話番号の組み合わせによって前記有料電子情報購入者用コンピュータで使用可能な有料電子情報の価格を表わす課金データを前記有料電子情報提供用コンピュータに読み込ませる手順と、
前記課金データに従って前記一又は複数の課金用の電話番号への電話回線の接続及び切断を前記有料電子情報購入者用コンピュータに行なわせる第１の手順と、前記一又は複数の課金用の電話番号それぞれへの電話回線の接続が完了したこと及びその後に切断が完了したことを前記有料電子情報購入者用コンピュータに確認させる第２の手順と、前記課金データ及び前記課金プログラムを前記有料電子情報購入者用コンピュータに読み込ませることにより前記有料電子情報購入者用コンピュータに前記有料電子情報の処理を開始させる第３の手順とを含む課金プログラムを前記有料電子情報提供用コンピュータに読み込ませる手順と、
前記課金データ、前記課金プログラム、及び前記有料電子情報を含み、前記有料電子情報購入者用コンピュータにより通信回線を介して受信された場合又は前記電子情報読み取り手段に装着された脱着可能な記録媒体から読み込まれた場合に前記課金プログラムの前記第３の手順に先立って前記第１及び第２の手順を前記有料電子情報購入者用コンピュータに実行させるコンピュータプログラムを前記有料電子情報提供用コンピュータに生成させる手順と
を含む有料電子情報提供用コンピュータのためのコンピュータプログラムを記録したことを特徴とするコンピュータ読み取り可能な記録媒体。
【請求項７】
電話回線に接続されると共に、電子情報を受信することが可能なコンピュータネットワークと接続された及び／又は電子情報を脱着可能な記録媒体から読み込むことが可能な電子情報読み取り手段を備えた有料電子情報購入者用コンピュータに有料電子情報を提供するためのコンピュータプログラムを記録した記録媒体であって、
前記有料電子情報と、
電話回線を接続した場合に電話番号毎に所定の定額料金が通話料以外に課金される課金用の電話番号の一又は複数の組み合わせによって前記有料電子情報購入者用コンピュータで使用可能な有料電子情報の価格を表わす課金データと、
該課金データに従って前記一又は複数の課金用の電話番号への電話回線の接続及び切断を前記有料電子情報購入者用コンピュータに行なわせる第１の手順と、前記一又は複数の課金用の電話番号それぞれへの電話回線の接続が完了したこと及びその後に切断が完了したことを前記有料電子情報購入者用コンピュータに確認させる第２の手順と、前記有料電子情報の処理を前記有料電子情報購入者用コンピュータに開始させる第３の手順とを含む課金プログラムと、
前記有料電子情報購入者用コンピュータに通信回線を介して受信された場合又は前記電子情報読み取り手段に装着された脱着可能な記録媒体から読み込まれた場合に前記課金プログラムの前記第３の手順に先立って前記第１及び第２の手順を前記有料電子情報購入者用コンピュータに実行させるようにしたコンピュータプログラムと
が記録されていることを特徴とするコンピュータ読み取り可能な記録媒体。
【請求項８】
購入対象の商品の価格に対応する金額を電話回線に接続された商品購入者用コンピュータを利用して商品購入者に支払わせるための代金支払い方法であって、
回線を接続した場合に電話番号毎に所定の定額料金が通話料以外に課金される課金用の電話番号の一又は複数の組み合わせによって購入対象の商品の価格を表わす課金データと、該課金データに従って商品購入者用コンピュータに前記一又は複数の課金用の電話番号それぞれへの電話回線の接続及び切断を行なわせる第１の手順、及び前記一又は複数の課金用の電話番号それぞれへの電話回線の接続が完了したこと及びその後に切断が完了したことを商品購入者用コンピュータに確認させる第２の手順を含む課金プログラムとを含む電子情報を商品提供者用コンピュータに生成させるステップと、
前記商品提供者用コンピュータから通信回線を介して前記電子情報を商品購入者用コンピュータに受信させるか、又は前記商品提供者用コンピュータが記録媒体に記録した前記電子情報を商品購入者用コンピュータに読込ませるステップと、
前記商品購入者用コンピュータに前記課金プログラムを実行させるステップと
を含むことを特徴とする代金支払方法。
【請求項９】
購入対象の商品の価格に対応する金額を電話回線に接続された商品購入者用コンピュータを利用して商品購入者に支払わせるための電子情報を商品提供者用コンピュータが作成するためのコンピュータプログラムを記録した記録媒体であって、
回線を接続した場合に電話番号毎に所定の定額料金が通話料以外に課金される一又は複数の課金用の電話番号の組み合わせによって購入対象の商品の価格を表わす課金データを前記商品提供者用コンピュータに読み込ませる第１の手順と、
前記課金データに従って前記一又は複数の前記課金用の電話番号それぞれへの電話回線の接続及び切断を商品購入者用コンピュータに行なわせる手順と、前記一又は複数の前記課金用の電話番号それぞれへの電話回線の接続が完了したこと及びその後に切断が完了したことを商品購入者用コンピュータに確認させる手順とを含む課金プログラムを前記商品提供者用コンピュータに読み込ませる第２の手順と、
前記第１の手順で読み込んだ課金データと前記第２の手順で読み込んだ課金プログラムとを含み、商品購入者用コンピュータに読込まれた場合に前記課金プログラムが自動的に実行されるようにした電子情報を前記商品提供者用コンピュータに生成させる第３の手順と
を含むコンピュータプログラムを記録したことを特徴とするコンピュータ読取り可能な記録媒体。
【請求項１０】
購入対象の商品の価格に対応する金額を電話回線に接続された商品購入者用コンピュータを利用して商品購入者に支払わせるためのコンピュータプログラムを記録した記録媒体であって、
回線を接続した場合に電話番号毎に所定の定額料金が通話料以外に課金される一又は複数の課金用の電話番号の組み合わせによって購入対象の商品の価格を表わす課金データと、
該課金データに従って商品購入者用コンピュータに前記一又は複数の課金用の電話番号それぞれへの電話回線の接続及び切断を行なわせる手順と、商品購入者用コンピュータに前記一又は複数の課金用の電話番号それぞれへの電話回線の接続が完了したこと及びその後に切断が完了したことを確認させる手順とを含む課金プログラムと
が記録されていることを特徴とするコンピュータ読取り可能な記録媒体。
【発明の詳細な説明】
【０００１】
【発明の属する技術分野】
本発明は有料電子情報（ソフトウェア，コンテンツ等）の提供方法に関し、より詳細にはコンピュータネットワークであるインターネットを介して有料電子情報が販売される場合、または記録媒体に記録された状態で販売される場合に好適な有料電子情報の提供方法、有料電子情報提供用電子情報生成装置、代金支払い方法及びそれを汎用コンピュータで実現するためのプログラムを記録した記録媒体、更にはそのような有料電子情報提供用電子情報を記録した記録媒体に関する。
【０００２】
【従来の技術】
近年のパーソナルコンピュータの普及に伴ってそれを利用したインターネットも急速に普及している。特に、インターネットの利用形態の一つとしてのインターネットショッピングが従来の通信販売に代わる流通方法として注目されている。このようなインターネットショッピングによって販売される商品としてはソフトウェア，画像，データ等の種々の電子情報がその性質上有力である。
【０００３】
ところで、上述のようなインターネットショッピングの販売代金の決済は従来は代金引換，口座振込等の現金を直接扱う方法と、クレジットカードを利用する方法と、種々の電子決済を利用する方法との内のいずれかで行なわれることが多かった。
【０００４】
また、パーソナルコンピュータのユーザの間では、フリーウェア，シェアウェアと称される非商業的に作成された比較的小規模なソフトウェアをインターネットを通じてダウンロードするか、または種々の出版物に付属するCD-ROM等の記録媒体からインストールして使用することが頻繁に行なわれている。シェアウェアは有償であるが、その額が数百円乃至数千円程度と比較的小額であるため、その決済の手続きが煩瑣なために放置するユーザが比較的多く、このためシェアウェアの製作者にとっては代金が十分に回収されないという問題もあった。
【０００５】
【発明が解決しようとする課題】
しかし、クレジットカードまたは電子決済による場合には、個人を認証する技術及びセキュリティを確保する技術が必要である。個人を特定するためには、クレジットカードを利用する場合にはインターネット上にクレジットカードの番号，所有者の氏名等のデータを送出し、または電子決済のためにはインターネット上に暗証番号とその使用者の氏名等のデータを送出し、それをいずれかの機関でチェックするという処理が必要になる。
【０００６】
また、上述のように個人を認証するためにインターネット上に送出されるデータのセキュリティには現状では大きな不安が有り、このためにインターネットショッピングを敬遠するユーザも多い。また、電子決済を実施するためには相応のシステムを構築する必要が有り、そのためのソフトウェア及びハードウェアのコストを結局はユーザ（商品購買者）が負担することになる。更に、従来の電子決済方法では、ユーザ側においても特別なソフトウェアが必要であり、また予め会員としての登録を行なっておく必要が有る等の問題もあり、煩わしいと考えて敬遠するユーザも多い。
【０００７】
本発明は以上のような事情に鑑みてなされたものであり、情報料課金・回収代行サービス（たとえばＮＴＴが提供するダイヤルＱ2 サービス）を利用して販売代金の回収、即ち決済を行なうことにより、上述したような従来の種々の問題点の解決を図った有料電子情報の提供方法、有料電子情報提供用電子情報生成装置、代金支払い方法、及び記録媒体の提供を目的とする。
【０００８】
【課題を解決するための手段】
請求項１の本発明は、電話回線に接続されると共に、電子情報を受信することが可能なコンピュータネットワークと接続された及び／又は電子情報を脱着可能な記録媒体から読み込むことが可能な電子情報読み取り手段を備えたコンピュータに有料電子情報を提供する有料電子情報の提供方法であって、前記有料電子情報とコンピュータプログラムとを含む有料電子情報提供用電子情報を前記コンピュータネットワークを介して前記コンピュータに受信させることにより、又は前記電子情報読み取り手段に装着された記録媒体から前記コンピュータに読み込ませることにより、電話回線を接続した場合に電話番号毎に所定の定額料金が通話料以外に課金される一又は複数の課金用の電話番号の組み合わせによって前記有料電子情報の価格と同額になるそれぞれの課金用電話番号への電話回線の接続及び切断を前記コンピュータに行なわせる前記コンピュータプログラムの第１の手順と、前記有料電子情報の価格と同額になる組み合わせの一又は複数の前記課金用の電話番号それぞれへの電話回線の接続が完了したこと及びその後に切断が完了したことを前記コンピュータに確認させる前記コンピュータプログラムの第２の手順と、前記有料電子情報の処理を前記コンピュータに開始させる前記コンピュータプログラムの第３の手順とを前記コンピュータに実行させることを特徴とする。
【０００９】
請求項２の本発明は、電話回線に接続されると共に、電子情報を受信することが可能なコンピュータネットワークと接続された及び／又は電子情報を脱着可能な記録媒体から読み込むことが可能な電子情報読み取り手段を備えた第１のコンピュータに有料電子情報を提供する有料電子情報の提供方法であって、電話回線を接続した場合に電話番号毎に所定の定額料金が通話料以外に課金される一又は複数の課金用の電話番号の組み合わせによって前記第１のコンピュータで使用可能な有料電子情報の価格を表わす課金データと、該課金データに従って前記第１のコンピュータに一又は複数の前記課金用の電話番号それぞれへの電話回線の接続及び切断を行なわせる第１の手順、前記一又は複数の課金用の電話番号それぞれへの電話回線の接続及び切断が全て完了したことを前記第１のコンピュータに確認させる第２の手順、及び前記第１のコンピュータに前記有料電子情報の処理を開始させる第３の手順を含む課金プログラムと、前記有料電子情報とを含む有料電子情報提供用電子情報を第２のコンピュータに生成させるステップと、該第２のコンピュータが生成した前記有料電子情報提供用電子情報をコンピュータネットワークを介して前記第１のコンピュータに受信させることにより、又は前記電子情報読み取り手段に装着された記録媒体から前記第１のコンピュータに読み込ませるステップと、前記有料電子情報提供用電子情報を受信した又は読み込んだ前記第１のコンピュータに、前記課金データに従って一又は複数の前記課金用の電話番号への電話回線の接続及び切断を行なわせる前記課金プログラムの第１の手順、前記一又は複数の課金用の電話番号それぞれへの電話回線の接続が完了したこと及びその後に切断が完了したことを確認させる前記課金プログラムの第２の手順、及び前記有料電子情報の処理を開始させる前記課金プログラムの第３の手順を実行させるステップとを含むことを特徴とする。
【００１０】
また請求項３の発明は、電話回線に接続されると共に、電子情報を受信することが可能なコンピュータネットワークと接続された及び／又は電子情報を脱着可能な記録媒体から読み込むことが可能な電子情報読み取り手段を備えた有料電子情報購入者用コンピュータに有料電子情報を提供するための有料電子情報提供用電子情報を生成する有料電子情報提供用電子情報生成装置であって、前記有料電子情報購入者用コンピュータで使用可能な有料電子情報の価格を、電話回線を接続した場合に電話番号毎に所定の定額料金が通話料以外に課金される一又は複数の課金用の電話番号の組み合わせによって表わす課金データを生成する課金データ生成部と、課金データに従って一又は複数の課金用の電話番号それぞれへの電話回線の接続及び切断を前記有料電子情報購入者用コンピュータに行なわせる第１の手順と、前記一又は複数の課金用の電話番号それぞれへの電話回線の接続が完了したこと及びその後に切断が完了したことを前記有料電子情報購入者用コンピュータに確認させる第２の手順と、前記有料電子情報購入者用コンピュータに前記有料電子情報の処理を開始させる第３の手順とを含む課金プログラムを記憶した課金プログラム記憶部と、前記課金データ生成部が生成した課金データと前記課金プログラム記憶部が記憶している課金プログラムと前記有料電子情報とを読み込み、前記有料電子情報購入者用コンピュータにより通信回線を介して受信された場合又は前記電子情報読み取り手段に装着された脱着可能な記録媒体から読み込まれた場合に、前記有料電子情報購入者用コンピュータに、前記課金プログラムの前記第３の手順に先立って前記第１及び第２の手順を実行させるようにした有料電子情報提供用電子情報を生成する有料電子情報提供用電子情報生成部とを備えたことを特徴とする。
【００１１】
請求項４の発明に係る有料電子情報提供用電子情報生成装置は、請求項３の発明において、生成した有料電子情報提供用電子情報を前記有料電子情報購入者用コンピュータと接続されたコンピュータネットワークへ送信する送信部を更に備えたことを特徴とする。
【００１２】
請求項５の発明に係る有料電子情報提供用電子情報生成装置は、請求項３の発明において、生成した有料電子情報提供用電子情報を前記有料電子情報購入者用コンピュータの電子情報読み取り手段に脱着可能な記録媒体に記録する記録部を更に備えたことを特徴とする。
【００１３】
請求項６の発明に係る記録媒体は、電話回線に接続されると共に、電子情報を受信することが可能なコンピュータネットワークと接続された及び／又は電子情報を脱着可能な記録媒体から読み込むことが可能な電子情報読み取り手段を備えた有料電子情報購入者用コンピュータに有料電子情報を提供するためのコンピュータプログラムを生成する有料電子情報提供用コンピュータのためのコンピュータプログラムを記録した記録媒体であって、電話回線を接続した場合に電話番号毎に所定の定額料金が通話料以外に課金される一又は複数の課金用の電話番号の組み合わせによって前記有料電子情報購入者用コンピュータで使用可能な有料電子情報の価格を表わす課金データを前記有料電子情報提供用コンピュータに読み込ませる手順と、前記課金データに従って前記一又は複数の課金用の電話番号への電話回線の接続及び切断を前記有料電子情報購入者用コンピュータに行なわせる第１の手順と、前記一又は複数の課金用の電話番号それぞれへの電話回線の接続が完了したこと及びその後に切断が完了したことを前記有料電子情報購入者用コンピュータに確認させる第２の手順と、前記課金データ及び前記課金プログラムを前記有料電子情報購入者用コンピュータに読み込ませることにより前記有料電子情報購入者用コンピュータに前記有料電子情報の処理を開始させる第３の手順とを含む課金プログラムを前記有料電子情報提供用コンピュータに読み込ませる手順と、前記課金データ、前記課金プログラム、及び前記有料電子情報を含み、前記有料電子情報購入者用コンピュータにより通信回線を介して受信された場合又は前記電子情報読み取り手段に装着された脱着可能な記録媒体から読み込まれた場合に前記課金プログラムの前記第３の手順に先立って前記第１及び第２の手順を前記有料電子情報購入者用コンピュータに実行させるコンピュータプログラムを前記有料電子情報提供用コンピュータに生成させる手順とを含む有料電子情報提供用コンピュータのためのコンピュータプログラムを記録したことを特徴とする。
【００１４】
請求項７の発明に係る記録媒体は、電話回線に接続されると共に、電子情報を受信することが可能なコンピュータネットワークと接続された及び／又は電子情報を脱着可能な記録媒体から読み込むことが可能な電子情報読み取り手段を備えた有料電子情報購入者用コンピュータに有料電子情報を提供するためのコンピュータプログラムを記録した記録媒体であって、前記有料電子情報と、電話回線を接続した場合に電話番号毎に所定の定額料金が通話料以外に課金される課金用の電話番号の一又は複数の組み合わせによって前記有料電子情報購入者用コンピュータで使用可能な有料電子情報の価格を表わす課金データと、該課金データに従って前記一又は複数の課金用の電話番号への電話回線の接続及び切断を前記有料電子情報購入者用コンピュータに行なわせる第１の手順と、前記一又は複数の課金用の電話番号それぞれへの電話回線の接続が完了したこと及びその後に切断が完了したことを前記有料電子情報購入者用コンピュータに確認させる第２の手順と、前記有料電子情報の処理を前記有料電子情報購入者用コンピュータに開始させる第３の手順とを含む課金プログラムと、前記有料電子情報購入者用コンピュータに通信回線を介して受信された場合又は前記電子情報読み取り手段に装着された脱着可能な記録媒体から読み込まれた場合に前記課金プログラムの前記第３の手順に先立って前記第１及び第２の手順を前記有料電子情報購入者用コンピュータに実行させるようにしたコンピュータプログラムとが記録されていることを特徴とする。
【００１５】
請求項８の発明に係る代金支払い方法は、購入対象の商品の価格に対応する金額を電話回線に接続された商品購入者用コンピュータを利用して商品購入者に支払わせるための代金支払い方法であって、回線を接続した場合に電話番号毎に所定の定額料金が通話料以外に課金される課金用の電話番号の一又は複数の組み合わせによって購入対象の商品の価格を表わす課金データと、該課金データに従って商品購入者用コンピュータに前記一又は複数の課金用の電話番号それぞれへの電話回線の接続及び切断を行なわせる第１の手順、及び前記一又は複数の課金用の電話番号それぞれへの電話回線の接続が完了したこと及びその後に切断が完了したことを商品購入者用コンピュータに確認させる第２の手順を含む課金プログラムとを含む電子情報を商品提供者用コンピュータに生成させるステップと、前記商品提供者用コンピュータから通信回線を介して前記電子情報を商品購入者用コンピュータに受信させるか、又は前記商品提供者用コンピュータが記録媒体に記録した前記電子情報を商品購入者用コンピュータに読込ませるステップと、前記商品購入者用コンピュータに前記課金プログラムを実行させるステップとを含むことを特徴とする。
【００１６】
請求項９の発明に係るコンピュータ読み取り可能な記録媒体は、購入対象の商品の価格に対応する金額を電話回線に接続された商品購入者用コンピュータを利用して商品購入者に支払わせるための電子情報を商品提供者用コンピュータが作成するためのコンピュータプログラムを記録した記録媒体であって、回線を接続した場合に電話番号毎に所定の定額料金が通話料以外に課金される一又は複数の課金用の電話番号の組み合わせによって購入対象の商品の価格を表わす課金データを前記商品提供者用コンピュータに読み込ませる第１の手順と、前記課金データに従って前記一又は複数の前記課金用の電話番号それぞれへの電話回線の接続及び切断を商品購入者用コンピュータに行なわせる手順と、前記一又は複数の前記課金用の電話番号それぞれへの電話回線の接続が完了したこと及びその後に切断が完了したことを商品購入者用コンピュータに確認させる手順とを含む課金プログラムを前記商品提供者用コンピュータに読み込ませる第２の手順と、前記第１の手順で読み込んだ課金データと前記第２の手順で読み込んだ課金プログラムとを含み、商品購入者用コンピュータに読込まれた場合に前記課金プログラムが自動的に実行されるようにした電子情報を前記商品提供者用コンピュータに生成させる第３の手順とを含むコンピュータプログラムを記録したことを特徴とする。
請求項１０の発明は、購入対象の商品の価格に対応する金額を電話回線に接続された商品購入者用コンピュータを利用して商品購入者に支払わせるためのコンピュータプログラムを記録した記録媒体であって、回線を接続した場合に電話番号毎に所定の定額料金が通話料以外に課金される一又は複数の課金用の電話番号の組み合わせによって購入対象の商品の価格を表わす課金データと、該課金データに従って商品購入者用コンピュータに前記一又は複数の課金用の電話番号それぞれへの電話回線の接続及び切断を行なわせる手順と、商品購入者用コンピュータに前記一又は複数の課金用の電話番号それぞれへの電話回線の接続が完了したこと及びその後に切断が完了したことを確認させる手順とを含む課金プログラムとが記録されていることを特徴とする。
【００１７】
請求項１の発明によれば、提供すべき有料電子情報の価格に対応する情報料課金・回収代行のための電話番号毎に所定の定額料金が通話料以外に課金される一又は複数の課金用の電話番号の組み合わせに従ってコンピュータが回線接続を行ない、一又は複数の課金用の電話番号それぞれへの回線接続が完了した後に回線が切断されたことが確認されると有料電子情報の処理がコンピュータによって開始されるため、有料電子情報を利用する側では従来の電子決済またはコンピュータネットワークを利用した決済に必要であった個人情報のコンピュータネットワークへの送信が不要になる。また、課金用の電話番号である情報料課金・回収代行サービスに極短時間だけ回線接続するのみにて代金の支払いが行なわれるので、回線使用料、即ち決済に要する費用の負担が抑制される。
【００１８】
請求項２，３及び６の発明によれば、有料電子情報提供者側のコンピュータにおいて生成した電子情報を商品購入者側のコンピュータが読み込んだ場合に、課金プログラムがまず実行されることにより課金データの電話番号毎に所定の定額料金が通話料以外に課金される一又は複数の課金用の電話番号の組み合わせに従って回線接続が行なわれ、課金データに含まれる有料電子情報の価格に対応するだけの一又は複数の課金用の電話番号それぞれへの回線接続が完了した後に回線が切断されたことが確認されると商品としての有料電子情報の処理が開始される。従って、商品購入者にとっては煩わしい手続きをせずに、またセキュリティの不安も無しに決済を行なうことが可能であり、商品提供者にとっては代金の回収を確実に行なうことが可能になる。更に、情報料課金・回収代行サービスに極短時間だけ回線接続するのみにて代金の支払いが行なわれるので、有料電子情報又は商品の購入者側では回線使用料、即ち決済に要する費用の負担が抑制される。
【００１９】
請求項４の発明によれば、有料電子情報の代金の支払いに必要な手続きがコンピュータネットワーク、具体的にはインターネットを介して自動的に行なわれるので、商品購買者は代金支払いの煩わしさに悩まされることが無い。
【００２０】
請求項５の発明によれば、記録媒体のやり取りにより、商品提供者側では不特定多数に商品である有料電子情報を配布することが可能であり、しかも代金の回収が確実に行なえる。また、記録媒体を受け取った側では代金の支払いにわずらわされること無しに任意の時点で有料電子情報を利用することが可能になる。
【００２３】
更に請求項７の発明の記録媒体では、それを商品提供者側で生成して商品購入者側に送付することにより、それに含まれる有料電子商品そのものの提供及び代金の決済が可能になる。
請求項８の発明の代金支払い方法では、課金データと、課金プログラムとを商品購入者に提供しておけば、商品購入者が電話回線に接続されたコンピュータに前記課金プログラムを実行させることにより自動的に支払いが行なわれ、従来の電子決済またはコンピュータネットワークを利用した決済に必要であった個人情報のコンピュータネットワークへの送信が不要になる。
請求項９及び１０の発明の記録媒体では、それを商品提供者側で生成して商品購入者側に送付することにより、商品購入者側では従来の電子決済またはコンピュータネットワークを利用した決済に必要であった個人情報のコンピュータネットワークへの送信が不要になる。
【００２４】
【発明の実施の形態】
以下、本発明をその実施の形態を示す図面に基づいて詳述する。
【００２５】
まず、本発明の有料電子情報の提供方法を実施するために必要な全体の装置構成について、その一例を示す図１の模式図を参照して説明する。
【００２６】
図１において、参照符号50は商品提供者側の装置、即ち本発明の有料電子情報提供用電子情報生成装置として機能するホストコンピュータ（第２のコンピュータ）を示しており、インターネットINETと接続されている。また、参照符号80は商品購買者側のパーソナルコンピュータ（第１のコンピュータ）を示しており、公衆交換回線網PST と接続している。更に、参照符号60はNTT が提供している情報料課金・回収代行サービスのための課金管理装置を示しており、公衆交換回線網PST と接続している。参照符号70はプロバイダ（インターネット接続業者）を示しており、公衆交換回線網PST をインターネットINETに接続するサービスを提供している。
【００２７】
従って、商品提供者側のホストコンピュータ50と商品購買者側のパーソナルコンピュータ80とはインターネットINETを介して電子情報の授受が可能である。より具体的には、商品購買者側のパーソナルコンピュータ80は、公衆交換回線網PST 、プロバイダ70、インターネットINETを介して商品提供者側のホストコンピュータ50から電子商品を含む種々の電子情報のダウンロードが可能である。また、商品購買者側のパーソナルコンピュータ80はNTT の課金管理装置60と公衆交換回線網PST を介して接続されているため、情報料課金・回収代行サービス、いわゆるダイヤルＱ2 のサービスを利用することも可能である。
【００２８】
次に、商品提供者側のホストコンピュータ50、即ち本発明の有料電子情報提供用電子情報生成装置の一構成例を示す図２のブロック図を参照して説明する。
【００２９】
電子商品記憶部51は販売されるべき商品としての電子情報、たとえばソフトウェアまたは画像及びデータ等のいわゆるコンテンツを電子情報の形で記憶している。課金プログラム記憶部52は後述する課金プログラムを記憶している。ダイヤルＱ2 情報記憶部53はNTT が提供している情報料課金・回収代行サービス、即ちダイヤルＱ2 の電話番号をデータとして記憶している。
【００３０】
ダイヤルＱ2 情報記憶部53に記憶されているデータは、課金データ生成部54により読み出される。課金データ生成部54は価格情報が入力された場合に、ダイヤルＱ2 情報記憶部53に記憶されているデータを読み出し、価格情報に対応するダイヤルＱ2 の電話番号を一つ、または複数を組み合わせることにより、課金データを生成する。
【００３１】
ダイヤルＱ2 では、５０円から３００円までの５０円刻みで定額課金が行なわれるようになっている。従ってたとえば、入力された価格情報が４５０円である場合は、課金データ生成部54は３００円のダイヤルＱ2 番号，１００円のダイヤルＱ2 番号及び５０円のダイヤルＱ2 番号を各１個ずつ組み合わせて課金データを生成し、また入力された価格情報が３００円である場合は、課金データは３００円のダイヤルＱ2 番号が１個という課金データを生成する。
【００３２】
なお、電子商品記憶部51に複数種類の電子商品が記憶されている場合には、各電子商品に対応つけて価格情報を記憶させておき、いずれかの電子商品が指定された場合にそれに対応する価格情報が自動的に課金データ生成部54へ与えられるようにしてもよい。また、汎用コンピュータに一般的に付属しているキーボード等の入力手段によりその都度、課金データを入力するようにしてもよい。
【００３３】
電子商品記憶部51に記憶されている電子商品の電子情報と、課金プログラム記憶部52に記憶されている課金プログラムと、課金データ生成部54で生成された課金データとは圧縮ファイル生成部55に与えられて一つのファイルに圧縮される。但し、この圧縮ファイル生成部55による圧縮処理に際しては、圧縮されたファイルが展開された場合に課金プログラムが最初に、より具体的には電子商品の電子情報が利用可能な状態になる前に実行されるようなファイル形式にしておくことが必須条件である。
【００３４】
圧縮ファイル生成部55により一つのファイルとして生成された圧縮ファイルは送信部56からインターネットINET上へ送信されることにより、その圧縮ファイルに含まれる電子商品の購買を希望する人物（商品購買者）が指定するコンピュータ（パーソナルコンピュータ80）にダウンロードされる。なお、圧縮ファイル生成部55により生成された圧縮ファイルを、フレキシブルディスク，CD-R, CD-RW, MO, DVD-RAM等の記録媒体にデータを書き込んで記録することが可能な記録部57を利用して対応する記録媒体57M に記録し、その記録媒体57M を郵送する等の手法により商品購買者に送付するようにしてもよい。
【００３５】
なお、上述の如く本実施の形態においては圧縮ファイルを生成するようにしているが、電子商品の電子情報が利用可能な状態になる前に課金プログラムが実行されるようになっていれば、必ずしも圧縮する必要はなく、また全体のデータ量が増加してもよい場合には暗号化することによりセキュリティを強化してもよい。
【００３６】
ところで、上述の図２に構成例が示されている商品提供者側のホストコンピュータ50、即ち本発明の有料電子情報提供用電子情報生成装置は汎用のコンピュータを利用して実現することも勿論可能であり、図３にその模式図を示す。
【００３７】
図３において、参照符号１はホストコンピュータ50の本体を示しており、フレキシブルディスク11M に対してデータ（電子情報）の読み書きを行なうためのフレキシブルディスクドライブ(FDD)11 及びCD(CD-ROM, CD-R 等)12Mに対してデータ（電子情報）の読み書きを行なうためのCD-RまたはCD-RW ドライブ(CDD)12 等が備えられている。但し、フレキシブルディスク11M, CD12M以外の種々の記録媒体（MO，DVD-RAM 等）をそれぞれに対応するドライブと組み合わせて利用してもよいことは言うまでもない。
【００３８】
また、ホストコンピュータ50の本体１には不揮発性記憶手段としてのハードディスク13も内蔵されており、全体の処理を実行するためのプログラム（以下、処理プログラムと言う）PG1 と、販売されるべき電子商品、たとえばソフトウェアまたは画像及びデータ等のいわゆるコンテンツのデータDT1 と、前述の課金プログラムPG2 と、ダイヤルＱ2 の電話番号のデータ（課金データ）DT2 とを記憶している。なお、処理プログラムPG1 は上述のようなフレキシブルディスク11M またはCD-ROM 12Mに記録されている状態から対応するドライブ11，12により読み取られてハードディスク13に記憶される。
【００３９】
またホストコンピュータ50には表示手段としての CRTディスプレイ15、入力手段及びポインティングデバイスとしてのキーボード16及びマウス17がそれぞれ接続されている。
【００４０】
図４は本発明の有料電子情報提供用電子情報生成装置であるホストコンピュータ50を汎用コンピュータで実現した場合の本体１の内部構成例を示すブロック図であり、CPU21 を中心として、バス20により上述のFDD11, CDD12, ハードディスク13，記憶手段としてのRAM22, ROM23等が接続されている。また、キーボード16，マウス17はインタフェイス(I/O)24 を介して、 CRTディスプレイ15は図示しないインタフェイスを介してバス20に接続されている。なお、参照符号56は図２に示されている送信部であり、インターネットINETに対して電子情報を送信する。また、図２に示されている記録部57はFDD11, CDD12で構成されている。
【００４１】
FDD11 によりフレキシブルディスク11M から、またはCD-ROMドライブ12によりCD-ROM 12Mから読み取られた処理プログラムPG1 のプログラムコードはたとえばハードディスク13に書き込まれて一旦記憶され、この処理プログラムPG1 が実行される際には各プログラムコードがハードディスク13から読み出されてRAM22 に転送されて記憶される。但し、フレキシブルディスク11M またはCD-ROM 12Mから読み取られた処理プログラムPG1 の各プログラムコードがそのままRAM22 に記憶されて実行されるようにしてもよい。
【００４２】
ところで、上述のホストコンピュータ50により本発明の決済情報生成装置を実現する場合には、上述の処理プログラムPG1 をインストールすることにより、図２に示されている電子商品記憶部51，課金プログラム記憶部52及びダイヤルＱ2 情報記憶部53の機能はハードディスク13により実現され、課金データ生成部54及び圧縮ファイル生成部55はCPU21 によりそれぞれ実現される。
【００４３】
図５はHDD13 に記憶されている課金プログラムPG2 の内容を示す模式図である。この課金プログラムPG2 は、課金データDT2 の電話番号に従って電話回線を接続するプログラムコードPC11と、課金データDT2 の全ての電話番号への回線接続が完了したか否かを判断するプログラムコードPC12と、課金データDT2 の全ての電話番号への回線接続が完了したと判断された場合に電子商品の利用を許可するプログラムコードPC13とを含んでいる。
【００４４】
また図６はたとえばフレキシブルディスク11M などの記録媒体に記録されており、それから読み込まれてHDD13 に記憶されている処理プログラムPG1 の内容を示す模式図である。この処理プログラムPG1 は、商品である電子情報を読み込むプログラムコードPC21と、課金プログラムPG2 を読み込むプログラムコードPC22と、課金データDT2 を生成するプログラムコードPC23と、電子情報と課金プログラムPG2 と課金データDT2 とを、展開された際に課金プログラムPG2 が最初に実行されるように圧縮して一つのファイルを生成するプログラムコードPC24と、生成したファイルをインターネットINETへ送信するプログラムコードPC25と、生成したファイルを記録媒体に記録するプログラムコードPC26とを含んでいる。
【００４５】
図７は本発明に係る有料電子情報提供用電子情報生成装置の処理手順を、図８は商品購買者側のパーソナルコンピュータ80の処理手順をそれぞれ示すフローチャートである。なお、以下の説明においては、販売すべき電子商品の電子情報を課金プログラムPG2 及び課金データDT2 と共にインターネットを介して送信するか、または記録媒体に記録するようにしているが、課金プログラムPG2 及び課金データDT2 のみをインターネットを介して送信するか、または記録媒体に記録しておき、販売すべき電子商品の電子情報を別途インターネットを介して送信してもよい。
【００４６】
まず、商品提供者側のホストコンピュータ50は、販売する電子商品の電子情報DT1 及び課金プログラムPG2 をHDD13 から読み込み、また課金データDT2 を生成する (ステップS11, S12, S13)。
【００４７】
ここで、電子商品とは、たとえばソフトウェア，画像，データ等のインターネットINETを介して送信可能な、またはフレキシブルディスク，CD-ROM等の電子情報の記録が可能な記録媒体に記録可能な電子情報のことであり、電子商品記憶部51として機能するHDD13 に予め記憶されている。
【００４８】
課金データDT2 とは、商品である電子情報の販売価格に対応する情報料課金・回収代行サービス、具体的にはNTT が提供するダイヤルＱ2 の番号のデータである。たとえば、商品の販売価格が４５０円である場合は、課金データDT2 は３００円のダイヤルＱ2 番号，１００円のダイヤルＱ2 番号及び５０円のダイヤルＱ2 番号が各１個というデータになる。また、たとえば商品の販売価格が３００円である場合は、課金データDT2 は３００円のダイヤルＱ2 番号が１個というデータになる。
【００４９】
ダイヤルＱ2 に関する情報はダイヤルＱ2 情報記憶部53として機能するHDD13 に予め記憶されており、課金データ生成部54として機能するCPU21 により電子商品の販売価格に応じて生成される。但し、必要の都度、キーボード16，マウス17等を利用して課金データDT2 を入力してもよい。
【００５０】
課金プログラムPG2 とは、前述の図５に示されているように、上述の課金データDT2 に従ってダイヤルすることにより、その課金プログラムPG2 がインストールされているパーソナルコンピュータを公衆交換回線網PST に接続する前述のプログラムであり、課金プログラム記憶部52として機能するHDD13 に記憶されている。
【００５１】
次に、ホストコンピュータ50は以上の電子商品，課金プログラムPG2 及び課金データDT2 を圧縮して一つのファイルにする (ステップS14)。但し、圧縮されたファイルが他のコンピュータに読み込まれて展開された際に、圧縮されていた課金プログラムPG2 が最初に展開されて実行されるように、換言すれば課金プログラムPG2 が実行されるまでは電子情報のコンピュータによる利用が禁じられるようにして圧縮する。
【００５２】
そして、ホストコンピュータ50は上述のようにして生成された一つのファイルを商品購買者側へインターネットINETを介して送信する (ステップS15)。但し、上述のようにして生成されたファイルを記録部57によりフレキシブルディスクまたはCD-ROMなどの記録媒体57M に記録し、この記録媒体57M を商品購買者へ郵送するか、または希望者に配布するようにしてもよい (ステップS16)。
【００５３】
商品購買者側では上述のような商品提供者側で生成されたファイルをインターネットINETを介して受信するか、またはそのようなファイルが記録された記録媒体を入手する (ステップS21)。
【００５４】
図９は上述のステップS16 において記録媒体57M としてのCD-ROMに記録が行なわれた状態を示す模式図である。記録媒体57M には、課金プログラムPG2 と、課金データDT2 と、電子商品の電子情報DT1 とが圧縮されて記録されている。この記録媒体57M の記録内容が商品購買者側のパーソナルコンピュータ80により読み取られると、または同一内容のファイルがインターネットINETを介して受信されると、まずそのファイルのパーソナルコンピュータ80へのインストールが行なわれる (ステップS22)。これにより、自動的に課金プログラムPG2 及び課金データDT2 が展開され (ステップS23)、自動的に課金プログラムPG2 が実行される (ステップS24)。
【００５５】
課金プログラムPG2 が実行されることにより、まず課金データDT2 の有無が調べられる (ステップS25)。いまたとえば、商品の販売価格が４５０円であり、課金データDT2 が３００円のダイヤルＱ2 番号，１００円のダイヤルＱ2 番号及び５０円のダイヤルＱ2 番号が各１個であるとする。この場合、３個の課金データDT2 が有るので、たとえばまず３００円のダイヤルＱ2 番号がダイヤルされ (ステップS26)、回線接続が完了すると (ステップS27 で”YES"）、その３００円のダイヤルＱ2 番号という１個の課金データDT2 が削除され (ステップS28)、回線が一旦切断される (ステップS29)。
【００５６】
回線が切断されるとステップS25 へ処理が戻されて課金データDT2 の有無が再度調べられる。この場合はまだ課金データDT2 が残っているため、たとえば次に１００円のダイヤルＱ2 番号がダイヤルされ (ステップS26)、回線接続が完了すると (ステップS27 で”YES"）、その１００円のダイヤルＱ2 番号という１個の課金データDT2 が削除され (ステップS28)、回線が一旦切断される (ステップS29)。
【００５７】
更に、残りの５０円のダイヤルＱ2 号という１個のデータについても上述同様に処理される。以上のようにして全ての課金データDT2 のダイヤルＱ2 番号への回線接続が行なわれると (ステップS25 で”NO" ）、電子商品の部分が展開され (ステップS30)、最後に課金プログラムPG2 及び課金データDT2 等が削除される (ステップS31)。
【００５８】
以上により、商品購買者は面倒な代金支払いを自らの手で行なう必要なしに、またクレジットカード番号，氏名，住所、更には暗証番号等の個人情報をインターネットINETへ送出するというセキュリティ面での危険を冒すこと無しに、購買した電子商品の代金の支払いをすることが可能になる。
【００５９】
なお、課金プログラムPG2 及び課金データDT2 のみをインターネットINETを介して商品購買者側のパーソナルコンピュータ80へ送信した場合、または記録媒体に記録して商品購買者側のパーソナルコンピュータ80に読み込ませた場合には、電子商品の販売価格に対応する課金データDT2 の電話番号に回線接続が行なわれた後に商品購買者側のパーソナルコンピュータ80からインターネットINETを通じて商品提供者側のホストコンピュータ50に接続し、電子商品の電子情報DT1 をダウンロードするように課金プログラムPG2 をプログラミングしておけばよい。
【００６０】
記録媒体を利用する場合、電子商品である電子情報DT1 も同時に記録すると比較的データ量が多くなって記録媒体としてはCDが必要になるが、上述のように課金プログラムPG2 及び課金データDT2 のみを記録媒体に記録した場合には、それらのデータ量は比較的小量であるため、CDを使用すること無しに容量が1.4Mバイトのフレキシブルディスクを利用することが可能になる。
【００６１】
ところで、上述の説明においては本発明を電子商品をインターネットINETを介して、または記録媒体を介して販売及び購買する際に利用する場合について説明したが、一般的な通信販売に利用することも勿論可能である。その場合には、商品提供者側においては、図７のフローチャートの内のステップS11 の処理は行なわずにステップS12, S13の処理を行ない、またステップS14 の処理においては課金プログラムPG2 と課金データDT2 とのみを圧縮してファイルを生成してフレキシブルディスク等の記録媒体に記録し、そのフレキシブルディスクを商品に同梱して購買者へ配達すればよい。
【００６２】
商品を受領した購買者側では、図８に示されているフローチャートの内のステップS30, S31の処理が行なわれない他は前述同様に処理が行なわれることにより、購買者は郵便局，銀行等の金融機関に出向く手間なしに商品代金の支払いを行なうことが可能になる。
【００６３】
【発明の効果】
以上に詳述したように本発明によれば、代金の決済が情報料課金・回収代行サービス（たとえばNTT が提供するダイヤルＱ2 ）により行なわれるので、従来のようなクレジットカードまたは電子決済による場合に必要な個人を認証する技術及びセキュリティを確保する技術が不要になる。
【００６４】
また、電子決済を実施するために必要なシステムの構築が不要になり、従ってそのためのソフトウェア及びハードウェアのコストを商品提供者側及び商品購買者側の双方共に負担する必要が無くなる。更に、商品購買者側においても特別なソフトウェアは不要になり、また予め会員としての登録を行なっておく等の煩わしさも無くなるため、ユーザにとっても従来に比してより気軽に利用可能になる。
【００６５】
更に記録媒体に記録されている処理プログラムを汎用コンピュータにインストールすることにより本発明が実現可能になるため、電子商品をインターネットを介して、または記録媒体に記録して販売する業者にとっても販売代金の回収が確実に行なえるようになるため、非常に有用である。
【００６６】
更に、本発明はシェアウェアの代金回収に好適であり、従来は代金の回収方法に悩んでいたシェアウェアの作成者が本発明の記録媒体に記録されている課金プログラムを利用することにより、容易にまた確実に販売代金の回収を行なうことが可能になる。
また更に、本発明は課金データと課金プログラムとが記録された記録媒体を商品提供者側で生成して商品購買者側に送付することにより、商品購入者側では従来の電子決済またはコンピュータネットワークを利用した決済に必要であった個人情報のコンピュータネットワークへの送信が不要になると共に、容易に商品代金の支払いが可能になり、また商品販売者側では容易且つ確実に販売代金の回収が可能になる。
【図面の簡単な説明】
【図１】本発明の有料電子情報の提供方法を実施するために必要な全体の装置構成の一例を示す模式図である。
【図２】本発明の有料電子情報提供用電子情報生成装置の一構成例を示すブロック図である。
【図３】本発明の有料電子情報提供用電子情報生成装置を汎用コンピュータで実現する場合の模式図である。
【図４】本発明の有料電子情報提供用電子情報生成装置を汎用コンピュータで実現した場合の内部構成例を示すブロック図である。
【図５】本発明に使用される課金プログラムの内容を示す模式図である。
【図６】本発明の記録媒体に記録されている処理プログラムの内容を示す模式図である。
【図７】本発明に係る有料電子情報提供用電子情報生成装置の処理手順を示すフローチャートである。
【図８】商品購買者側のコンピュータの処理手順を示すフローチャートである。
【図９】本発明に係る記録媒体の記録内容を示す模式図である。
【符号の説明】
13    ハードディスク
21    CPU
50    ホストコンピュータ（有料電子情報提供用電子情報生成装置)
51    電子商品記憶部
52    課金プログラム記憶部
53    ダイヤルＱ2 情報記憶部
54    課金データ生成部
55    圧縮ファイル生成部
56    送信部
57    記録部
57M   記録媒体
80    パーソナルコンピュータ
DT1   電子情報
DT2   課金データ
PG1   処理プログラム
PG2   課金プログラム
INET  インターネット
PST   公衆交換回線網
【図１】
0003729659.tif 000002
【図２】
0003729659.tif 000003
【図３】
0003729659.tif 000004
【図４】
0003729659.tif 000005
【図５】
0003729659.tif 000006
【図６】
0003729659.tif 000007
【図７】
0003729659.tif 000008
【図８】
0003729659.tif 000009
【図９】
0003729659.tif 000010